(57)【要約】      （修正有）【課題】乳児用ベッドにおいて乳児の背骨の後湾を安定に保つことができるとともに夏期に乳児が背中に多量の汗をかき難いようにし、又床ずれ防止マットにおいて短い時間で安価に製造できるようにしたベッド構造を提供する。【解決手段】上面２１と底面とを有するカバー２０と、カバー内に内蔵された合成樹脂製の発泡ビーズ２４と、変形可能な面状をなし、カバー内の上面又は底面と発泡ビーズとの間に設けられ、寝かせた身体の背中を発泡ビーズから離間させるスペーサー２５とから構成されており、発泡ビーズが流動することによって上面又は底面及びスペーサーが寝かされた身体の背中の形状に沿うように変形され、寝かされた身体の背中を発泡ビーズから離間させるようになっていることを特徴とする。【選択図】図２
2016028685.tif 000002
【特許請求の範囲】
【請求項１】
上面（２１、１２１）と底面（２３、１２３）とを有するカバー（２０、１２０）と、該カバー（２０、１２０）内に内蔵された合成樹脂製の発泡ビーズ（２４、１２４）と、変形可能な面状をなし、上記カバー（２０、１２０）内の上面（２１、１２１）又は底面（２３、１２３）と発泡ビーズ（２４、１２４）との間に設けられ、寝かせた身体の背中を発泡ビーズ（２４、１２４）から離間させるスペーサー（２５、１２５）とから構成されており、
上記発泡ビーズ（２４、１２４）が流動することによって上記上面（２１、１２１）又は底面（２３、１２３）とスペーサー（２５、１２５）が寝かされた身体の背中の形状に沿うように変形され、寝かされた身体の背中を発泡ビーズ（２４、１２４）から離間させるようになっていることを特徴とするベッド構造。
【請求項２】
乳児用ベッドにおいて、乳児（３０）を寝かせることのできる大きさのベッド面（２１）と底面（２３）とを有するカバー（２０）と、該カバー（２０）内で流動し得る合成樹脂製の発泡ビーズ（２４）と、変形可能な面状をなし、上記カバー（２０）内のベッド面（２１）と発泡ビーズ（２４）との間に設けられ、乳児（３０）の背中を発泡ビーズ（２４）から離間させるスペーサー（２５）とから構成されており、
上記発泡ビーズ（２４）が上記カバー（２１）内のスペーサー（２５）の下方で流動することによって上記ベッド面（２１）及びスペーサー（２５）が凹状に形成され、上記凹状のベッド面（２１）に乳児が寝かされたときに乳児（３０）の身体が背骨の後湾を保ったままかつ乳児（３０）の背中を発泡ビーズ（２４）から離間させて上記ベッド面（２１）に載せられるようになっていることを特徴とするベッド構造。
【請求項３】
床ずれ防止マットにおいて、マット面（１２１）と底面（１２３）とを有するカバー（１２０）と、上記カバー（１２０）内で流動し得る合成樹脂製の発泡ビーズ（１２４）と、変形可能な面状をなし、上記カバー（１２０）内のマット面（１２１）又は底面（１２３）と発泡ビーズ（１２４）との間に設けられ、寝かされた人の背中を発泡ビーズ（１２４）から離間させるスペーサー（１２５）とから構成されており、
上記発泡ビーズ（１２４）が上記カバー（１２０）内で流動することによって上記マット面（１２１）又は底面（１２３）とスペーサー（１２５）が寝かされた身体の背中の形状に沿うように変形され、背中を発泡ビーズから離間させる一方、
上記発泡ビーズ（１２４）が上記スペーサー（１２５）とともに床ずれ防止マットを所要の厚みに製作するようになっている請求項１記載のベッド構造。
【請求項４】
上記発泡ビーズ（２４）は上記カバー（２０）の内面と上記スペーサー（２５）とが形成する内部空間の容積に対して４０容量％〜１２０容量％の範囲内の量が内蔵されている請求項１記載のベッド構造。
【発明の詳細な説明】
【技術分野】
【０００１】
本発明は乳児用ベッドや床ずれ防止マットなどのクッション構造に関し、特に乳児用ベッドにおいて乳児の背骨の後湾を安定に保つことができるとともに夏期に乳児が背中に多量の汗をかき難いようにし、又床ずれ防止マットにおいて短い時間で安価に製造できるようにした構造に関する。
【背景技術】
【０００２】
従来、乳児用ベッドは寝返りをしたときに乳児がベッドから落ちないよう、周囲を枠で囲む一方、ベッド床上にマットを敷設したものが一般的であった（特許文献１）。しかし、この乳児用ベッドではマット上に布団やクッションを重ねて柔らかくしても、赤ちゃんが背中を反り返らせて泣くことが多いだけでなく、背骨が歪み、頭の形状が歪みや偏平になるおそれがある。
【０００３】
ところで、赤ちゃんは母親の子宮内で丸くなって成長しており、新生児期から腰のすわる頃まで背骨の丸み（後湾）をしっかりと保つと、よちよち歩きを始める頃には腰椎の前湾ができ始めて背骨のＳ字湾曲が形成され、安定して歩けるようになることが分かってきた。
【０００４】
そこで、ベッド面を複数の水袋で構成し、ベッド面を湾曲させ、背骨の丸みを保って乳児を寝かせるようにした乳児用ベッド（特許文献２）、ベッド枠にハンモックを吊り下げ、背骨の丸みを保って乳児を寝かせるようにした乳児用ベッド、が提案されている。
【０００５】
しかし、水袋製のべッドでは乳児がベッド上で滑りやすくて姿勢が安定せず、又ハンモック式のベッドではハンモックを吊り下げる枠付きベッドが重いので、容易に持ち運びができない。
【０００６】
これに対し、本願発明者は、乳児を寝かせることのできる大きさのベッド面と周囲の側面と側面の底面開口を塞ぐ底面とからなるカバーと、カバー内にカバー内容積に対して流動し得る量、例えば７５容量％〜９５容量％の範囲内の量が内蔵され、０．５ｍｍ〜３．０ｍｍの範囲内の値の平均粒径を有する合成樹脂製の発泡ビーズとから構成され、発泡ビーズがカバー内で流動することによってベッド面が凹状に形成され、凹状のベッド面に乳児が寝かされたときに乳児の身体を背骨の後湾を保ったままベッド面に載せることができ、しかも容易に持ち運びができるようにした乳児用ベッドを開発し商品化するに至った（特許文献３）。
【０００７】
また、弾力性のある熱可塑性エラストマーを主剤とする多数のモノフィラメントをランダムなループ状に堆積させて所要の厚さの板状に形成するとともに、その広面の一方に凹凸を設けてコイルマットを製作し、コイルマットに脱臭剤、防かび剤の被膜を形成し、身体とマットの接触面を小さくし、寝たきりの人などが褥瘡（床ずれ）を起こし難くした床ずれ防止マットが提案されている（特許文献４）。
【先行技術文献】
【特許文献】
【０００８】
【特許文献１】特開２００４−４１６２９号公報
【特許文献２】特開平１０−７５８５０号公報
【特許文献３】特開２０１２−０１１１９１号公報
【特許文献４】実用新案登録第３０７３２８１号公報
【発明の概要】
【発明が解決しようとする課題】
【０００９】
しかし、特許文献３記載の乳児用べッドでは夏期に乳児をベッド面に寝かせると、下方が粒径の小さい発泡ビーズが詰まっているので、熱がこもりやすく、背中に多量の汗をかいて汗疹ができるおそれがあった。
【００１０】
また、特許文献４記載の床ずれ防止マットではマットを所要の厚さに製造するには非常に多くのモノフィラメントを堆積する必要があって、製造に時間がかかるとともに、コスト高になっていた。
【００１１】
本発明は、かかる問題点に鑑み、乳児用ベッドにおいて乳児の背骨の後湾を安定に保つことができ夏期に乳児が背中に多量の汗をかき難くし、又床ずれ防止マットにおいて短い時間で安価に製造できるようにしたクッション構造を提供することを課題とする。
【課題を解決するための手段】
【００１２】
そこで、本発明に係るクッション構造は、上面と底面とを有するカバーと、該カバー内に内蔵された合成樹脂製の発泡ビーズと、変形可能な面状をなし、上記カバー内の上面と発泡ビーズとの間に設けられ、上面に寝かせた身体の背中を発泡ビーズから離間させるスペーサーとから構成されており、上記発泡ビーズが流動することによって上記上面及びスペーサーが寝かされた身体の背中の形状に沿うように変形され、寝かされた身体の背中を発泡ビーズから離間させるようになっていることを特徴とする。
【００１３】
具体的には、乳児用ベッドにおいて、乳児を寝かせることのできる大きさのベッド面と底面とを有するカバーと、上記カバー内で流動し得る合成樹脂製の発泡ビーズと、変形可能な面状をなし、上記カバー内のベッド面と発泡ビーズとの間に設けられ、乳児の背中を発泡ビーズから離間させるスペーサーとから構成し、上記発泡ビーズが上記カバー内のスペーサーの下方で流動することによって上記ベッド面及びスペーサーを凹状に形成し、上記凹状のベッド面に乳児が寝かされたときに乳児の身体が背骨の後湾を保ったままかつ乳児の背中を発泡ビーズから離間させて上記ベッド面に載せられるように構成する。
【００１４】
また、床ずれ防止マットにおいて、マット面と底面とを有するカバーと、上記カバー内で流動し得る合成樹脂製の発泡ビーズと、変形可能な面状をなし、上記カバー内のマット面と発泡ビーズとの間に設けられ、寝かされた人の背中を発泡ビーズから離間させるスペーサーとから構成し、上記発泡ビーズが上記カバー内のスペーサーの下方で流動することによって上記ベッド面及びスペーサーが寝かされた身体の背中の形状に沿うように変形され、背中を発泡ビーズから離間させるように構成する。
【００１５】
本発明の第１の特徴はカバーの上面と発泡ビーズとの間に面状のスペーサーを介在させるようにした点にある。これにより、例えば上側のベッド面の乳児やマット面に寝かせた人を発泡ビーズから離間させることができ、夏期において背中の下側に熱気がこもることがなく、例えばベッド面やマット面に寝かせた乳児や人が多量の汗をかいて汗疹ができるおそれを解消できる。
【００１６】
冬期には発汗のおそれが少ないので、カバーの上下をひっくり返して使用する、つまり底面側にスペーサーが、上面側に発泡ビーズが来るように使用することもできる。
【００１７】
本発明の第２の特徴はカバー内に変形可能な面状スペーサーを内蔵し、その下側に発泡ビーズを流動し得るように内蔵した点にある。これにより、発泡ビーズの流動によってカバーのベッド面及び面状のスペーサーを乳児の背骨や寝かせた人の背中に沿う形状に形成することができる。
【００１８】
また、本発明の第３の特徴はカバー内に発泡ビーズと面状のスペーサーを内蔵するようにした点にある。これにより、面状スペーサーに特許文献４記載のコイルマットを使用する場合にも発泡ビーズによって所要の厚みに製作することができ、コイルマットの厚みを薄くできるので、短時間のうちに、しかも安価に製造できる。
【００１９】
乳児を凹状にベッド面に寝かせると、乳児の背骨の後湾を保ったまま、乳児をベッド面に載せることができ、更に発泡ビーズが乳児の重さを受けて適度に流動することによってベッド面によって抱かれたような姿勢になるので、姿勢が安定して安らかに睡眠する。
【００２０】
また、発泡ビーズは軟らかく、流動することができるので、ベッド面は柔らかく、背骨に歪みが生じたり頭の形状が歪みや偏平になったりするのを防止できる。
【００２１】
面状のスペーサーは例えばポリエステル、ポリエチレン、ポリスチレン等の熱可塑性樹脂を主原料とする複数のモノフィラメントをランダムなループ状に堆積させ、あるいは螺旋状に無秩序に絡ませ、部分的に熱接着させた網状構造体によって構成してもよく、バスタオルなどの織布で構成することもできる。
【００２２】
カバーの上面は乳児を寝たきりの人を寝かせたときに乳児などが違和感を感じないような柔らかい素材であればよい。例えば、綿糸、ポリエステル糸及びポリウレタン糸を用いてパイル編みで編成したパイル編み生地、ポリウレタン弾性糸、ポリウレタン・ナイロン混紡糸あるいはナイロン巻きポリウレタン糸（カバリングヤーン）を用いて平編み、リブ編みあるいはパイル編みなどで編成した生地を用いることができる。
【００２３】
カバーは上面と底面を含んでいればよいが、さらに側面を備えていてもよい。この側面はクッション類、例えば乳児用ベッドや床ずれ防止マットの立体的形状を保持するのに役立つが、あまり柔らかすぎると、乳児用ベッドや床ずれ防止マットの立体形状が崩れやすくなるので、上面に比較して少し硬めの生地を用いるのがよい。例えば、綿糸の平編み生地を用いると、上面の凹状を保つことができた。
【００２４】
底面はフロアなどで滑らないような生地を用いるのがよい。例えば、綿糸のパイル編み生地や平編み生地などを用いることができる。また、樹脂材料を点状に固着して滑り止めを行なうようにしてもよい。
【００２５】
また、発泡ビーズにはポリエステルやポリスチレンなどの合成樹脂材料の発泡ビーズを用いるのがよい。発泡ビーズは流動できる大きさであればよいが、平均粒度は０．５ｍｍ以上２０．０ｍｍ以下の大きさから選択されるのがよい。０．５ｍｍ未満では細かくなりすぎて取り扱いが煩雑となるからである。なお、スペーサーによって乳児や寝たきりの人の背中が発泡ビーズから離間されているので、発泡ビーズは大きくてもよいが、２０．０ｍｍを超えると乳児や寝たきりの人がゴツゴツした印象を受けるおそれがあるので、２０．０ｍｍを上限とするのが好ましい。また、発泡ビーズは必要に応じてネット状の内袋に入れてカバーに内蔵するようにしてもよい。
【００２６】
発泡ビーズは流動できる量であればよく、例えばカバー内面と面状スペーサーとが形成する内部空間の容積に対して４０容量％〜９５容量％の範囲内の量が内蔵されるのがよいが、１００容量％以上、例えば１１０容量％や１２０容量％であってもベッド面を押さえることによって上面を凹状にすることができるので、９５容量％以下に限定されるものではなく、適宜選択することができる。
【００２７】
ベッド面やマット面は乳児や寝たきりの人を寝かせることができれば、その形状は特に限定されないが、例えばベッド面やマット面及び底面を円形、楕円形、正方形や長方形に製作することができる。
【図面の簡単な説明】
【００２８】
【図１】本発明に係るクッション構造の好ましい実施形態を乳児用ベッドに適用した例を示す一部切欠き概略斜視図である。
【図２】上記実施形態における使用例を示す一部切欠き概略斜視図である。
【図３】第２の実施形態を床ずれ防止マットに適用した例を示す一部切欠き概略斜視図である。
【発明を実施するための形態】
【００２９】
以下、本発明を添付図面に示す具体例に基づいて説明する。図１及び図２は本発明に係るクッション構造の好ましい実施形態を示し、これは乳児用ベッドに適用した例である。図において、乳児用ベッド１０はカバー２０内部に発泡ビーズ２４を内蔵して構成されている。なお、発泡ビーズ２４は直接内蔵するようにしているが、内袋に入れてからカバー２０に内蔵してもよい。
【００３０】
カバー２０はベッド面２１、側面２２及び底面２３から構成され、ベッド面（上面）２１と底面２３は縦６０ｃｍ〜７０ｃｍ、横４０ｃｍ〜５０ｃｍ程度の長方形状に形成され、側面２２は１０ｃｍ〜３５ｃｍの範囲内の幅の帯状に形成されている。なお、カバー２０は必ずしも上述の大きさに限定されるものではない。また、ベッド面２１の凹状に保持できれば必ずしも側面２２は設ける必要はなく、ベッド面２１と底面２３の側縁を相互に縫合するようにしてもよい。
【００３１】
ベッド面２１及び底面２３には綿糸７０％、ポリエステル糸２５％、ポリウレタン糸５％を用いてパイル編みで編成した伸縮性のあるパイル編み生地が用いられている。
【００３２】
また、側面２２には綿糸を用いて平編みで編成した生地が用いられ、側面２２の生地はベッド面２１及び底面２３に比較して少し硬くなっているが、側面２２の周縁とベッド面２１及び底面２３の周縁を少し硬く縫合すると、周縁の縫合によってベッド面２１を凹状に保持できるので、側面２２を軟らかくしてもよい。
【００３３】
カバー２０内のベッド面２１の下側にはスペーサー２５が内蔵されている。このスペーサー２５はベッド面２１と同等か又は少し小さい大きさで、厚さ１ｃｍ〜１５ｃｍの範囲内の寸法の面状をなし、ポリエステル、ポリエチレン、ポリスチレン等の熱可塑性樹脂を主原料とする複数本のモノフィラメントをランダムなループ状に堆積させ、あるいは螺旋状にかつ無秩序に絡ませ、部分的に熱接着した網目構造体を内袋に入れることによって製作されており、ベッド面２１の形状に応じた形状に変形されるようになっている。
【００３４】
発泡ビーズ２４には例えばポリエチレンやポリスチレンなどの合成樹脂材料を発泡させた平均粒径０．５ｍｍ（粒度分布０．４ｍｍ〜０．６ｍｍ）の大きさの発泡ビーズが用いられているが、０．５ｍｍ〜２０．０ｍｍの範囲内から選択される値の平均粒径（平均粒度を中央値として適度な粒度分布を有する）であればよい。
【００３５】
また、発泡ビーズ２４はカバー２０内のスペーサー２５下側の内容積に対して８５容量％の量が内蔵されている。なお、発泡ビーズ２４の量はスペーサー２５の厚みによっても異なるが、４０容量％〜９５容量％の範囲から選ばれた量であれば、乳児２０の背骨の後湾姿勢を適切に保持することができる。なお、１００容量％以上であっても、ベッド面２１を押さえることによってベッド面２１を凹状にできるので、例えば１１０容量％や１２０容量％とすることもできる。
【００３６】
乳児３０を寝かせる場合、図２に示すように、底面２３を下にしてベッド１０を例えばフロアなどに置き、ベッド面２１の中央を押さえると、発泡ビーズ２４がカバー２０内のスペーサー２５下側で流動してベッド面２１及びスペーサー２５が凹状となる。
【００３７】
そこで、ベッド面２１に乳児３０を載せると、乳児３０の背骨の後湾を保ったまま乳児３０の身体がベッド面２１に載せられ、更に乳児３０の体重を受けて発泡ビーズ２４が適度に流動し、乳児３０は背骨の後湾を保ったまま、柔らかいベッド面２１によって抱かれたような姿勢になる。
【００３８】
この姿勢は乳児３０が母親の子宮内でとっていた姿勢であるので、乳児３０は安らかに睡眠し、又ベッド面２１が柔らかいので、背骨が歪んだり乳児３０の頭の形状が歪みや偏平になったりするのを防止できる。
【００３９】
このとき、乳児３０の背中は面状スペーサー２５によって発泡ビーズ２４から離間されているので、例えば夏期において乳児３０の下側に熱気がこもることは少なく、乳児３０が多量の汗をかいて汗疹ができるおそれを解消できる。
【００４０】
なお、上記の例ではスペーサー２５を常にカバー２０内に内蔵するようにしたが、ベッド面２１の側縁にファスナーを設け、厚さの異なるスペーサー２５と交換し、あるいはスペーサー２５をカバー２０から取り外すことができるようにしてもよい。
【００４１】
また、スペーサー２５は乳児３０を発泡ビーズ２４から離間できればよいので、例えば厚手のバスタオルを用いることもできる。
【００４２】
また、図３は第２の実施形態を示し、これは床ずれ防止マットに適用した例である。本例では床ずれ防止マットはカバー１２０内部に発泡ビーズ１２４を内蔵して構成されている。なお、発泡ビーズ１２４は直接内蔵するようにしているが、ネット状内袋に入れてからカバー１２０に内蔵してもよい。
【００４３】
カバー１２０はマット面（上面）１２１及び底面１２３から構成され、マット面１２１と底面１２３は縦１８０ｃｍ〜２１０ｃｍ、横９０ｃｍ〜１２０ｃｍ程度の長方形状に形成され、又カバー１２０の厚さは５ｃｍ〜８ｃｍに製作されている。なお、カバー１２０は必ずしも上述の大きさに限定されるものではない。
【００４４】
マット面２１及び底面２３には綿糸７０％、ポリエステル糸２５％、ポリウレタン糸５％を用いてパイル編みで編成した伸縮性のあるパイル編み生地が用いられている。
【００４５】
カバー１２０内の底面１２３の上側にはスペーサー１２５が内蔵されている。このスペーサー１２５は底面１２３と同等か又は少し小さい大きさで、厚さ３ｃｍ〜５ｃｍの範囲内の寸法の面状をなし、ポリエステル、ポリエチレン、ポリスチレン等の熱可塑性樹脂を主原料とする複数本のモノフィラメントをランダムなループ状に堆積させ、あるいは螺旋状にかつ無秩序に絡ませ、部分的に熱接着した網目構造体によって製作されており、底面１２３を上側にしたときの底面１２３に応じた形状に変形されるようになっている。
【００４６】
発泡ビーズ１２４には第１の実施形態と同様のビーズが使用され、又発泡ビーズ１２４はカバー２０内のスペーサー１２５上側の内容積に対して例えば１１０容量％の量が内蔵されているが、１１０容量％以下の量であってもよい。
【００４７】
寝たきりの人を寝かせる場合、底面１２３を下にして床ずれ防止マットを例えばフロアなどに置き、マット面１２１に寝たきりの人を載せると、発泡ビーズ１２４によって受けられ、柔らかいマット面１２１によって抱かれたような姿勢になり、寝返りなどができずに長時間一定の寝姿であっても床ずれが起き難い。
【００４８】
また、夏期には背中に多量の汗をかいて汗疹ができやすくなる。かかる場合には図３に示される床ずれ防止マットの上下を逆にして底面１２３を上側にし、底面１２３上に寝たきりの人を寝かせると、スペーサー１２５に通気性があるので、身体の下側に熱気がこもることは少なく、多量の汗をかいて汗疹ができるおそれを解消でき、これによっても床ずれが起きるのを抑制できる。
【００４９】
なお、上記の例では乳児用ベッド及び床ずれ防止マットについて説明したが、本発明に係るクッション構造を枕に適用すると、軟らかく、夏期には涼しく快適な枕を得ることができる。
【符号の説明】
【００５０】
１０      乳児用ベッド
２０      カバー
２１      ベッド面
２２      側面
２３      底面
２４      発泡ビーズ
２５      スペーサー
３０      乳児
１２０      カバー
１２１      ベッド面
１２３      底面
１２４      発泡ビーズ
１２５      スペーサー
【図１】
2016028685.tif 000003
【図２】
2016028685.tif 000004
【図３】
2016028685.tif 000005